(57)【要約】【課題】　商品戦略における消費者サービスなどの一手段として、飲料缶、食料缶などの商品本体に付帯して提供する果汁、液体嗜好品など液体あるいはクリーム状液体添付品の封入用少量容器の発明を課題とする。【解決手段】　硬質プラスチック製の容器体とし、必要とされる容量を確保しながら主体商品の全形を極力維持して個有の空間内に極力留める。そのため缶フタ上面のスペースを活用し、主体商品への装着固定はツメ状の容器端部において缶フタ巻締め部に行なう。また栓体を省いて封入品の吐出のみ行なうことで容器のコンパクト化、操作の簡略化を図る。すなわち、指などで押圧して本体容器を折り曲げるとともに、さらなる押圧によって溝加工された吐出口の切り込み線において破断し、封入品が吐出する仕組みとするものである。【選択図】　　　　図１
2004043035.tif 000002
【特許請求の範囲】
【請求項１】
　本体１および本体１に連続する装着端部２よりなり、本体１は全形では略扁平ないしは上面部３で膨らみのあるマウス状で底面は平板であり、その中間位置では１０ｍｍ程度の長さにわたって５０％前後括れて底部が上床し、わずかな下反り状を呈しながら容器内側部７へ続く連通部底部４２とした連通部４であって、該連通部４を挟んで全体として対称な、一体にて製された同一肉厚でなる硬質プラスチック製容器体であり、本体１の上面部３には連通部４の外面中心中央に、究極において破断し封入品を吐出する未破断未開口である切り込み線４５を溝加工状に該部左右幅の２０％前後とする長さとして設け、さらに、浅く突き出た楕円状の吐出口４４が切り込み線４５の外縁をなすものである。また吐出口４４に並ぶ左右両側には連通部側部４３下部中央より吐出口４４至近に至る徐徐に深くなる波状谷折れ線５１をそれぞれ放射状に２筋および吐出口４４の他方の両側には、相対する左右連通部側部４３下部端域より該部周辺の容器側部６を経て上面部３においては互いに一致して共通する、徐徐に深くなる波状谷折れ線５５を各３筋程度それぞれ対称に放射状に有す。一方装着端部２は、本体１が飲料缶などの缶フタ上面Ｍに密着して安定して装着付帯できるよう、缶フタ巻締め部Ｎに嵌め合わせて付帯固定するための、本体１の両端など複数の部位で上面部３より同一材で段差なく延伸し設けたツメ状のものである。また全体として、缶全形からさほど逸脱しない程度の形状とし、また厚みを抑えて容量としあるいは容量確保を行ない、角部では極力丸みある形状で使い切り使用される、飲料缶などのフタ上面に装着付帯を可能とすることを最大の特徴とした、液体あるいはクリーム状液体用の少量封入容器。
【請求項２】
　缶フタ上面ＭにタブＰなど突起体のあるプルタブ式飲料缶などで本体１がこれを跨いで装着付帯する場合では、本体１の容器内側部７下部と容器底部８との角にあたる部分を双方ともに全幅にわたってわずかに平行直線状に切り欠いて、タブＰ全形を隙間なく囲う程度の段差ある底部形状とし、さらに缶フタ上面ＭとタブＰなど突起体との間に隙間がある場合では、装着固定を強化補助するために隙間に挿入しあるいは宛がうのみとする、容器内側部７下端の該底面中間域からタブＰに周接し、挿入動作を可能とする長さで短く延伸して設けた蔕状の支持片９を有した請求項１記載の少量封入容器。
【請求項３】
　本体１のみとした請求項１記載の少量封入容器。
【発明の詳細な説明】
【技術分野】
【０００１】
　本発明は使い切り使用される、主に缶飲料などの商品に付帯させて供する果汁、液体嗜好品など液体あるいはクリーム状液体など添付品の封入用少量容器に関するものである。
【背景技術】
【０００２】
　商品戦略における消費者サービスなどの一手段として、商品に付帯して提供する付録、おまけ、試供サービス品などはさまざまな形において行なわれているものの、飲料缶、食料缶などに装着付帯して提供するとの試みなどほとんど見出せないのが現状であり、多様な可能性、例えば液体あるいはクリーム状液体を封入して添付するなどさまざまに有しながら未達段階に留まったままである。
【０００３】
【特許文献１】特開平１１−０４３１５９号公報
【発明の開示】
【発明が解決しようとする課題】
【０００４】
　そこで飲料缶、食料缶などの商品本体に付帯するとの観点から、可能な限り該商品個有の空間に留められる形状とし、ならびにその取り扱いの簡易性、移動輸送時などにおける安定装着性、消費時における開封使用の簡便さなどについてそれらを満たすことを可能とする果汁、液体嗜好品など液体あるいはクリーム状液体添付品の封入用少量容器の発明を課題とする。
【課題を解決するための手段】
【０００５】
　必要とされる容量を確保しながら主体商品の全形を極力維持して本体が個有する空間内に極力留めた形態とし、また栓体を省いて容器のコンパクト化、簡略化を図る。そのため飲料缶、食料缶などに付帯の場合にあってはリム状の缶フタ巻締め部Ｎに囲まれた缶フタ上面Ｍのスペースを活用してここに装着し、必要に応じわずかに上伸させて容量の最小限確保を行なう。
【０００６】
　使い切り使用するとのコンセプトに立ち、栓体を用いず封入品の吐出のみ行なうものとし、単純操作により円滑、確実、簡単にできる仕組みにする。すなわち封入品の開口吐出は、本体１が連通部底部４２を中心軸として両指などの押圧ないし引き圧により曲げられ、各部の角度形状変動を伴いながら容器底部８双方により形成される夾角が９０度前後に至った段階で、蛇腹状をなす波状谷折れ線５５域が伸展限度に到達し、引き続きそれを超えてさらに夾角を狭め接近させようとする際には、押圧（引き圧）力は、両側の波状谷折れ線５１域では余裕回避するため、専ら上面部３の中間域である吐出口４４において引き合って緊張し、封入品による内圧ともあいまって結果相対的に脆弱部位である吐出口４４内の切り込み線４５において作用し、溝加工された該部がまず亀裂破断するに至る仕組みを特徴として達成がなされるよう、切り込み線４５およびその周辺の強度設計および封入量について、あるいは折り曲げ作用による角度形状変動や封入品の内部流動などでは主に各波状谷折れ線５１、５５域において受容解消するなど、遡って各部にわたる形状設計など行なうものである。
【０００７】
　プルタブ式飲料缶などで缶フタ上面ＭとタブＰなど突起体との間に隙間がある場合では、装着端部２による装着のほか、容器内側部７下端の底面より短く延伸して設けた蔕状の支持片９を挿入あるいは宛がうことによって装着固定を強化補助する。
【０００８】
　また振動や他物との接触に起因する装着阻害を排除するため、特に装着端部２で本体１と缶フタ巻締め部Ｎとの段差を排し、取り外しの容易性にも配慮しながらツメなど、たとえばやや内反りにするなど形状設計を行なってその目的を図る。
【０００９】
　ボトル缶などに付帯しようとする場合は、本体１を使い、その両端のいずれかの一方あるいは容器底部８のいずれかの一方に合成樹脂製ひも状リングを設け、ボトル缶の有する最大太さを逸脱しないものとして該体個有の空間内に留めてネック部に係止してこれを行なうことも可能である。
【００１０】
　主体商品に直接装着付帯しない場合などでは、本体１のみとして別途供するものである。
【発明の効果】
【００１１】
　液体あるいはクリーム状液体少量封入容器を使用して本体商品への添加品を封入する場合にあっては、例えばコーヒー飲料にはミルクなど、紅茶飲料にはレモン果汁など、あるいはビールにはブランディーなど、少量であっても消費者の好みに従って選択加味し、あるいはアレンジなどできるサービスを商品購入とともに入手でき、商品販売戦略の上で有力な武器として提供し得るものである。
【００１２】
　また、付録やおまけなどとして供する場合には、商品本体に係わりない品を封入品として選ぶことができる。例えば液体歯磨きやコロンなど一度に使い切って使用できるものなどである。
【００１３】
　さらに、試供サービス品などとして使用する場合は、同系新商品や姉妹品の特色をサンプルなどで示すことによって、味覚体験を通した宣伝的効果を発揮することができる。
【００１４】
　いずれの場合であっても商品本体に、液体あるいはクリーム状液体品を添付可能とする少量封入容器であることを特徴とし、量的制約はあってもその効果および価値は小さくないと言える。
【００１５】
　構造、操作ともに簡単簡易で定着性があり、封入品の吐出を片手で行なえるなども大きな特徴であり、また消費者に与える吐出操作の感覚は、櫛形レモンを搾るイメージ、であり好感を得るものである。
【発明を実施するための最良の形態】
【００１６】
　吐出口４４に封止シールを貼付して安全衛生性を確保する。
【００１７】
　商品本体への装着付帯を、商品出荷時に実施する場合では、装着性をより高めながら使用消費時においては取り外しが容易に行なえる程度に、弱粘着性接着剤を一ないし複数個所塗布して付帯装着を強化することも可能である。店頭などで装着を行なう場合では特にこれを必要しない。
【００１８】
　商品本体の消費あるいは本付帯品消費使用時などで缶フタ上面Ｍからこれを取り外すには、連通部４下方の空白域に指先を宛て、装着端部２などにおける装着状態を解きつつ封入容器を引き出しあるいは起こすように行なう。
【００１９】
　本封入品を吐出するにあたっては、親指および人差し指などで本体１の両端部を挟みながら、折り曲げ軸である連通部底部４２を中心（支点）に二つ折りするように押圧して、容器底部８双方により形成される夾角が９０度前後に達するまでには吐出口４４を飲料缶の開口部となるスコアＲ面などや他の注入用容器の注入口に宛がって（図２）、その準備ののち、さらに該夾角を狭めて切り込み線４５を破断開口させて封入品を吐出し、注入する。
【図面の簡単な説明】
【００２０】
【図１】飲料缶に装着付帯した一実施状況を示す斜視図である。
【図２】本発明品の封入品吐出状況の一例を示す見取り図である。
【図３】本発明品の一実施形態の上面図である。
【図４】図３における、（Ａ）側面図、（Ｂ）端側面図である。
【図５】プルタブ式飲料缶における支持片９を有した一実施形態の、（Ａ）上面図、（Ｂ）下面図である
【図６】図５における、（Ａ）側面図、（Ｂ）端側面図である。
【図７】図５の、（Ａ）Ｅ−Ｅ線における矢視断面図、（Ｂ）Ｆ−Ｆ線における矢視断面図である。
【図８】本体１のみとした一実施形態の上面図である。
【図９】図８における、（Ａ）側面図、（Ｂ）端側面図である。
【符号の説明】
【００２１】
１　本体。
２　装着端部。
３　上面部。
４　連通部。
４２　連通部底部。
４３　連通部側部。
４４　吐出口。
４５　切り込み線。
５１　波状谷折れ線。
５５　波状谷折れ線。
６　容器側部。
７　容器内側部。
８　容器底部。
９　支持片。
Ｍ　缶フタ上面。
Ｎ　缶フタ巻締め部。
Ｐ　タブ。
Ｒ　スコア。
【図１】
2004043035.tif 000003
【図２】
2004043035.tif 000004
【図３】
2004043035.tif 000005
【図４】
2004043035.tif 000006
【図５】
2004043035.tif 000007
【図６】
2004043035.tif 000008
【図７】
2004043035.tif 000009
【図８】
2004043035.tif 000010
【図９】
2004043035.tif 000011